(57)【要約】【課題】環境応力破壊を生じにくいトリガー式液体噴出器を提供すること。【解決手段】トリガーボディ１４の先端側にノズル２０を取付け、トリガーボディ１４の液流路ａとノズル２０の噴出孔ｄとの間にスピンエレメント２１を設けてなるトリガー式液体噴出器１０であって、スピンエレメント２１を、トリガーボディ１４とノズル２０の少なくとも一方に設けた孔１９Ａ、２０Ｄに挿入し、トリガーボディ１４とノズル２０によって軸方向に挟み込み保持したもの。【選択図】  図２
2004275844.tif 000002
【特許請求の範囲】
【請求項１】
トリガーボディの先端側にノズルを取付け、トリガーボディの液流路とノズルの噴出孔との間にスピンエレメントを設けてなるトリガー式液体噴出器であって、
スピンエレメントを、トリガーボディとノズルの少なくとも一方に設けた孔に挿入し、トリガーボディとノズルによって軸方向に挟み込み保持したトリガー式液体噴出器。
【請求項２】
前記スピンエレメントをトリガーボディに設けた孔に軸方向、径方向にガタの生じない寸法関係で挿入された請求項１に記載のトリガー式液体噴出器。
【請求項３】
前記スピンエレメントをトリガーボディに対して回り止めし、前記ノズルをスピンエレメントに対して相対回転可能に嵌合した請求項１又は２に記載のトリガー式液体噴出器。
【請求項４】
前記噴出器の内容液が次亜塩素酸ナトリウムを含有する液体である請求項１〜３のいずれかに記載のトリガー式液体噴出器。
【発明の詳細な説明】
【０００１】
【発明の属する技術分野】
本発明はトリガー式液体噴出器に関する。
【０００２】
【従来の技術】
特許文献１に記載の如く、トリガー式液体噴出器として、トリガーボディの先端側にノズルを取付け、トリガーボディの液流路とノズルの噴出孔との間にスピンエレメントを設け、トリガーボディの液流路を圧送されてきた液体にスピンエレメント〜ノズルの液流路によって旋回動を与え、旋回された液体をノズルの噴出孔から噴出するものがある。
【０００３】
特許文献１のトリガー式液体噴出器では、ノズルをスピンエレメントに対して相対回転可能に嵌合し、ノズルを回転して開閉操作することで、スピンエレメントの液流路に対するノズルの液流路の連通状態を切換え、液の噴出状態を切換え可能にしている。このとき、スピンエレメントがノズルの回転に連れ回ることのないように、スピンエレメントはトリガーボディにしまり嵌めされて固定される。
【０００４】
【特許文献１】
特開平８−３３２４２２（［００１１］、図１、図２）
【０００５】
【発明が解決しようとする課題】
特許文献１のトリガー式液体噴出器では、トリガーボディとスピンエレメントのしまり嵌めの嵌合部が、漂白剤等の界面活性剤を含む内容液に常に晒されながら、嵌合による応力を定常的に生じているから、環境応力破壊による破損を生じ易い。内容液が界面活性剤と次亜塩素酸ナトリウムを含有する場合には、界面活性剤と次亜塩素酸ナトリウムの相乗効果的影響により、更に破損を生じ易い。
【０００６】
本発明の課題は、環境応力破壊を生じにくいトリガー式液体噴出器を提供することにある。
【０００７】
【課題を解決するための手段】
請求項１の発明は、トリガーボディの先端側にノズルを取付け、トリガーボディの液流路とノズルの噴出孔との間にスピンエレメントを設けてなるトリガー式液体噴出器であって、スピンエレメントを、トリガーボディとノズルの少なくとも一方に設けた孔に挿入し、トリガーボディとノズルによって軸方向に挟み込み保持したものである。
【０００８】
【発明の実施の形態】
トリガー式液体噴出器１０は、図１に示す如く、容器１１の開口部に接続される通液体１２を、該容器１１に螺着されるキャップ１３により該容器１１に固定する。トリガー式液体噴出器１０は、通液体１２にトリガーボディ１４を嵌合して一体化し（通液体１２とトリガーボディ１４は一体成形されても可）、トリガーボディ１４の主筒１４Ａをキャップ１３の側から起立し、主筒１４Ａの中間部から前方にシリンダ筒１４Ｂを突設し、主筒１４Ａの上端部から前方に射出筒１４Ｃを突設している。
【０００９】
トリガー式液体噴出器１０は、トリガーレバー１５の上端部をトリガーボディ１４の射出筒１４Ｃにおける前方側の両外側部に回動自在に枢着し、シリンダ筒１４Ｂに嵌合させたプランジャ１７の前端部にトリガーレバー１５の中間部の後面を係合させ、シリンダ筒１４Ｂに内蔵のスプリング１８によりプランジャ１７を介してトリガーレバー１５を前方に弾発させる。
【００１０】
トリガー式液体噴出器１０は、トリガーボディ１４の射出筒１４Ｃの先端側に連結筒部１９を設け、この連結筒部１９の外径部にノズル２０を回動自在に嵌合する。トリガーボディ１４の射出筒１４Ｃに設けられる液流路ａと、ノズル２０の液流路ｃ、噴出孔ｄとの間には、液流路ａに連通する液流路ｂを備えるスピンエレメント２１が後述する如くに設けられる。ノズル２０は回動操作レバー２２を備える。回動操作レバー２２によりノズル２０を連結筒部１９に介し回転して開閉操作することで、スピンエレメント２１の液流路ｂとノズル２０の液流路ｃの連通状態を後述する如くに切換え、ノズル２０からの液の吐出状態を切換え可能にする。
【００１１】
トリガー式液体噴出器１０は、容器１１の内部に延びるディップチューブ３１を通液体１２の下端部に挿着し、通液体１２の内部に入側逆止弁３２、出側逆止弁３３を設けている。
【００１２】
これにより、トリガー式液体噴出器１０にあっては、トリガーレバー１５の引き操作に基づくプランジャ１７の加圧動作により、シリンダ筒１４Ｂ内の液体を出側逆止弁３３経由で、射出筒１４Ｃの液流路ａ、スピンエレメント２１の液流路ｂ、ノズル２０の液流路ｃを介して噴出孔ｄから噴出する。また、トリガーレバー１５の引き操作解除に基づくプランジャ１７の戻り動作で、容器１１内の液体を入側逆止弁３２経由でシリンダ筒１４Ｂに吸込む。
【００１３】
しかるに、トリガー式液体噴出器１０は、トリガーボディ１４に対するノズル２０、スピンエレメント２１の取付け構造を以下の如くに構成する。
【００１４】
トリガーボディ１４の連結筒部１９は、図２に示す如く、嵌合孔１９Ａを内周に備え、係止部１９Ｂを外周に備える。ノズル２０は連結筒部１９の嵌合孔１９Ａの開口端側に液密に回転可能に嵌合する嵌合筒２０Ａを備え、嵌合筒２０Ａの外周側で二重筒状をなす外筒２０Ｂに連結筒部１９の係止部１９Ｂとの係止部２０Ｃを備える。スピンエレメント２１は連結筒部１９の嵌合孔１９Ａの奥側に挿入される大径部２１Ａと、ノズル２０の嵌合筒２０Ａの中心部に設けた嵌合孔２０Ｄに液密に相対回転可能に嵌合する小径部２１Ｂを有する。
【００１５】
スピンエレメント２１は、連結筒部１９の嵌合孔１９Ａとノズル２０の嵌合孔２０Ｄに上述の如くに挿入され、軸方向では、大径部２１Ａの端面を嵌合孔１９Ａの奥側段差面（嵌合孔１９Ａと射出筒１４Ｃの液流路ａとの段差面）に当接し、小径部２１Ｂの端面を嵌合孔２０Ｄの奥側端面に当接する状態で、トリガーボディ１４とノズル２０によって挟み込み保持される。スピンエレメント２１における大径部２１Ａと小径部２１Ｂの段差面は、ノズル２０の嵌合筒２０Ａの端面に軽く当接している。即ち、液流路を有するスピンエレメント２１は、連結筒部１９の嵌合孔１９Ａとノズル２０の嵌合孔２０Ｄに、嵌め合い応力が発生しない程度で、かつ径方向、軸方向ともガタの生じない寸法関係にて組み込まれる。
【００１６】
スピンエレメント２１は、図２、図３に示す如く、大径部２１Ａの外周の周方向の１以上の位置（本実施形態では２位置）に設けた凹部２１Ｃを、連結筒部１９の嵌合孔１９Ａの内周に設けた凸部１９Ｃに軸方向から係入するすることにより、トリガーボディ１４に対して回り止めされる。凸部１９Ｃと凹部２１Ｃは、直線状リブ、半球状突部等にて構成することができる。ノズル２０が、回動操作レバー２２による前述の開閉操作に伴ない、スピンエレメント２１の小径部２１Ｂに液密に回転するとき、スピンエレメント２１は上述の回り止めにより、ノズル２０に連れ回らない。
【００１７】
ノズル２０とスピンエレメント２１は、射出筒１４Ｃの液流路ａとノズル２０の噴出孔ｄとの間に以下の如くの液流路ｂ、液流路ｃを備える。（図２〜図７）。
【００１８】
スピンエレメント２１は、射出筒１４Ｃの液流路ａに常時連なる溝状の液流路ｂ１（図３、図７）を大径部２１Ａの外周の周方向の１以上の位置（本実施形態では２位置）にて軸方向に延在し、液流路ｂ１が常時連なる陥凹状の液流路ｂ２（図７）を大径部２１Ａの端面の小径部２１Ｂまわりに環状形成している。また、スピンエレメント２１は、液流路ｂに直接連通しない溝状の液流路ｂ３（図５、図７）を小径部２１Ｂの先端側外周の周方向の１以上の位置（本実施形態では２位置）にて軸方向に軸端面まで延在している。
【００１９】
ノズル２０は、スピンエレメント２１の液流路ｂ２に常時連なる溝状の液流路ｃ１（図４）を嵌合孔２０Ｄの内周の周方向の１以上の位置（本実施形態では２位置）にて軸方向に孔中途まで延在している。ノズル２０を回動操作レバー２２により回転させて開操作したとき、ノズル２０の嵌合孔２０Ｄに設けた上述の液流路ｃ１は、スピンエレメント２１の前述の液流路ｂ３に合致して連通し、スピンエレメント２１の液流路ｂ２と液流路ｂ３をつなぐ。ノズル２０は、嵌合孔２０Ｄの奥側端面から外方に向けて噴出孔ｄを穿設するとともに、スピンエレメント２１の液流路ｂ３が連通する嵌合孔２０Ｄの奥側端面の外周側から噴出孔ｄに至る旋回流路ｃ２（図６）を周方向の１以上の位置（本実施形態では２位置）に備える。
【００２０】
尚、スピンエレメント２１の液流路ｂ１は連結筒部１９の嵌合孔１９Ａに設けても良い。スピンエレメント２１の液流路ｂ２はノズル２０の嵌合筒２０Ａの端面に設けても良い。スピンエレメント２１の液流路ｂ３をノズル２０の嵌合孔２０Ｄ設け、かつノズル２０の液流路ｃ１をスピンエレメント２１の小径部２１Ｂに設けても良い。ノズル２０の旋回流路ｃ２はスピンエレメント２１の小径部２１Ｂの端面に設けても良い。
【００２１】
従って、トリガー式液体噴出器１０にあっては、以下の如くに吐出動作する。
（Ａ）液停止状態（図８）
回動操作レバー２２よりノズル２０を閉操作位置に設定する。ノズル２０の液流路ｃ１がスピンエレメント２１の液流路ｂ３に不一致になり、スピンエレメント２１の液流路ｂ２と液流路ｂ３がつながらず、射出筒１４Ｃの液流路ａの液体がスピンエレメント２１の液流路ｃ１止まりになり、ノズル２０からの液の吐出は停止状態になる。
【００２２】
（Ｂ）液噴出状態（図９）
回動操作レバー２２よりノズル２０を開操作位置に回転する。ノズル２０の液流路ｃ１がスピンエレメント２１の液流路ｂ３に合致し、スピンエレメント２１の液流路ｂ２と液流路ｂ３がつながる。これにより、射出筒１４Ｃの液流路ａの液体がスピンエレメント２１の液流路ｂ１、ｂ２、ｂ３、ノズル２０の液流路ｃ１、旋回流路ｃ２に圧送され、旋回流路ｃ２で旋回動を付与された液体が噴出孔ｄから噴出せしめられる。このとき、ノズル２０に設けてある空気取入れ口２３から流入する空気が液体に混合して液体を泡化し、液体を泡状にして吐出可能にする。
【００２３】
トリガー式液体噴出器１０の内容液としては、例えば界面活性剤と次亜塩素酸ナトリウムを含有する液体を採用できる。
【００２４】
本実施形態によれば以下の作用効果を奏する。
（請求項１に対応する作用効果）
▲１▼スピンエレメント２１をトリガーボディ１４とノズル２０によって軸方向に挟み込み保持したから、スピンエレメント２１をトリガーボディ１４の間では流路ｂ１にのみ液が流れる程度の嵌め合い代をもって取り付けられていれば良い。従って、トリガーボディ１４とスピンエレメント２１の取付け部が内容液に晒されるにしても、その取付け部に生じる応力は微小であり環境応力破壊を誘引しにくい。
【００２５】
（請求項２に対応する作用効果）
▲２▼スピンエレメント２１をトリガーボディ１４に対する取付け部で、軸方向、径方向にガタの生じない寸法関係で挿入することにより、その取付け部に環境応力破壊を誘引するような応力の発生を確実に排除できる。
【００２６】
（請求項３に対応する作用効果）
▲３▼スピンエレメント２１はトリガーボディ１４に対する取付け部で、流路ｂ１にのみ液が流れる程度の嵌め合い代をもって取り付けられていても、凸部１９Ｃと凹部２１Ｃからなる回り止め部の存在により回転阻止される。このため、ノズル２０をスピンエレメント２１に対して相対回転し、スピンエレメント２１の液流路ｂに対するノズル２０の液流路ｃの連通状態を切換え、液の吐出状態を切換えようとするとき、スピンエレメント２１の連れ回りを防止できる。
【００２７】
（請求項４に対応する作用効果）
▲４▼内容液が次亜塩素酸ナトリウムを含有する場合にも、トリガーボディ１４とスピンエレメント２１の取付け部での環境応力破壊を防止できる。
【００２８】
本発明において、スピンエレメントとトリガーボディの回り止め手段は、凹凸係合によるものに限らず、ねじ係合等によるものでも良い。
【００２９】
【発明の効果】
本発明によれば、環境応力破壊を生じにくいトリガー式液体噴出器を提供することができる。
【図面の簡単な説明】
【図１】図１はトリガー式液体噴出器を示す断面図である。
【図２】図２はトリガーボディとスピンエレメントとノズルの取付け部を示す断面図である。
【図３】図３は図２のＩＩＩ−ＩＩＩ線に沿う断面図である。
【図４】図４は図２のＩＶ−ＩＶ線に沿う断面図である。
【図５】図５は図２のＶ−Ｖ線に沿う断面図である。
【図６】図６は図２のＶＩ−ＶＩ線に沿う断面図である。
【図７】図７はスピンエレメントを示す斜視図である。
【図８】図８は液停止状態を示し、（Ａ）は模式図、（Ｂ）は（Ａ）のＢ−Ｂ線に沿う断面図、（Ｃ）は（Ａ）のＣ−Ｃ線に沿う断面図である。
【図９】図９は液噴出状態を示し、（Ａ）は模式図、（Ｂ）は（Ａ）のＢ−Ｂ線に沿う断面図、（Ｃ）は（Ａ）のＣ−Ｃ線に沿う断面図である。
【符号の説明】
１０  トリガー式液体噴出器
１４  トリガーボディ
１９  連結筒部
１９Ａ  嵌合孔
２０  ノズル
２０Ｄ  嵌合孔
２１  スピンエレメント
ａ、ｂ、ｃ  液流路
ｄ  噴出孔
【図１】
2004275844.tif 000003
【図２】
2004275844.tif 000004
【図３】
2004275844.tif 000005
【図４】
2004275844.tif 000006
【図５】
2004275844.tif 000007
【図６】
2004275844.tif 000008
【図７】
2004275844.tif 000009
【図８】
2004275844.tif 000010
【図９】
2004275844.tif 000011